(57)【要約】【課題】靴本体内に外気を導入し、長時間着用した場合でも、換気によって足の蒸れによる不快感を抑制することが可能な靴の通気構造を提供する。【解決手段】使用者の踵によって踏まれる靴本体２の中底３に配置されるとともに、弾性材で袋状に形成され、踏み操作がなされた際、収縮することで、空気室６ａに貯留されている空気を送気部８から送出し、踏み操作が解除された際、弾性材の弾性力によって復元することで、吸気口１４から空気を吸引する空気ポンプ６と、空気ポンプ６の送気部８に逆止弁を介して連通し、送気部８から送出された空気を靴本体２の爪先部４に案内する空気通路１３と、踏み操作がなされると吸気弁７を閉鎖し、踏み操作が解除されると吸気弁７を開放するように、踵Ｋの上下動に合せて吸気弁７を開閉する吸気蓋９とを備える。【選択図】図１
2013022330.tif 000002
【特許請求の範囲】
【請求項１】
使用者の踵によって踏まれる靴本体の中底に配置されるとともに、弾性材で袋状に形成され、踏み操作がなされた際、収縮することで、内部の空気室に貯留されている空気を送気部から送出し、前記踏み操作が解除された際、前記弾性材の弾性力によって復元することで、吸気口から前記空気室に空気を吸引する空気ポンプと、
該空気ポンプの前記送気部に逆止弁を介して連通し、該送気部から送出された空気を前記靴本体の爪先部に案内する空気通路と、
前記踏み操作がなされると前記空気室の吸気弁を閉鎖し、前記踏み操作が解除されると前記吸気弁を開放するように、前記踵の上下動に合せて前記吸気弁を開閉する吸気蓋と
を具備することを特徴とする靴の通気構造。
【請求項２】
前記吸気弁は、前記空気ポンプの上面に形成され、
前記吸気蓋は、前記踵の底面及び後面を覆うように前記踵に装着されるとともに、前記吸気口から吸込む空気を前記空気ポンプの前記吸気弁に案内する踵カバー兼吸気ガイドからなる
ことを特徴とする請求項１に記載の靴の通気構造。
【発明の詳細な説明】
【技術分野】
【０００１】
本発明は、靴の通気構造に関し、特に、靴本体の内部に外気を導入し、換気を促進させることで足の蒸れを抑制することが可能な靴の通気構造に関するものである。
【背景技術】
【０００２】
一般に、靴を長時間着用したとき、発汗による湿気及び熱気によって、足が蒸れてしまい、履き心地を損なう場合がある。また、足蒸れに伴い、悪臭が発生したり、水虫を誘発したりするおそれもある。これは、足が滑らないように靴が密着する構造となっており、足裏部分や爪先部分への通気が悪いことが要因となっている。
【０００３】
そこで、足蒸れや悪臭の発生を抑制するため、脱臭除菌剤を含浸した中敷が提案されている（例えば特許文献１参照）。
【発明の概要】
【発明が解決しようとする課題】
【０００４】
しかし、上記のような中敷を使用した場合でも通気性は改善されないことから、靴を長時間着用した場合には、足濡れによる不快感を生じさせていた。特に、運動靴のように密着度の高い靴、または長靴のように空気がこもりやすい靴においては、通気性の悪さが助長され、短時間の着用であっても不快感を生じさせるおそれがあった。
【０００５】
そこで、本発明は、上記の実状に鑑み、靴本体内の通気を改善し、長時間着用した場合でも、足の蒸れによる不快感を抑制することが可能な靴の通気構造を提供することを課題とするものである。
【課題を解決するための手段】
【０００６】
本発明にかかる靴の通気構造は、
「使用者の踵によって踏まれる靴本体の中底に配置されるとともに、弾性材で袋状に形成され、踏み操作がなされた際、収縮することで、内部の空気室に貯留されている空気を送気部から送出し、前記踏み操作が解除された際、前記弾性材の弾性力によって復元することで、吸気口から前記空気室に空気を吸引する空気ポンプと、
該空気ポンプの前記送気部に逆止弁を介して連通し、該送気部から送出された空気を前記靴本体の爪先部に案内する空気通路と、
前記踏み操作がなされると前記空気室の吸気弁を閉鎖し、前記踏み操作が解除されると前記吸気弁を開放するように、前記踵の上下動に合せて前記吸気弁を開閉する吸気蓋と
を具備する」
ことを特徴とするものである。
【０００７】
ここで、「靴の通気構造」は、靴の中底に敷かれる「中敷」に適用してもよく、靴本体に適用してもよい。また、「弾性材」としては伸縮性（可撓復元性）を有するゴム、または軟質樹脂材を挙げることができる。また、「吸気蓋」は、使用者の踵に密着させることで踵と一体的に動くようにしてもよく、あるいはスプリング等の弾性力によって上方に付勢することで踏み操作の解除に合せて上方へ移動（復元）するように構成してもよい。また、「袋状」とは、内部に空気室が形成された形態を示している。また、「踏み操作」及び「踏み操作の解除」とは、歩行の際になされる踵の上下動による操作である。また、「空気通路」の構成は特に限定されるものではないが、中空のパイプまたはチューブを例示することができる。
【０００８】
本発明の靴の通気構造によれば、靴本体の中底に、弾性材で形成された空気ポンプが配設されており、その空気ポンプは、歩行の際、使用者の踵によって踏まれると（踏み操作がなされると）収縮する。このとき、空気ポンプの吸気弁は吸気蓋によって閉鎖されているため、空気室に貯留されている空気は、圧縮され送気部から送出される。また、送気部には空気通路が接続されているため、送気部から送出された空気は、空気通路を通って靴本体の爪先部に送られる。一方、踏み操作が解除されると（すなわち踵が上げられると）、吸気蓋が踵とともに持ち上がり、空気室の吸気弁が開放され、また、空気ポンプに加わる外力がなくなるため、空気ポンプは弾性力により元の形態に戻る。これにより、吸気口を通して空気室に外気が吸引される。なお、送気部と空気通路との間には、逆止弁が介在されているため、爪先部の空気（すなわち湿気または熱気を含む空気）が空気ポンプ側に逆流することが阻止される。
【０００９】
このように、歩行により、空気ポンプの収縮及び復元が繰り返されるため、新鮮な外気を靴本体の爪先部に供給し続けることができる。したがって、靴本体内の通気が改善され、例えば靴を長時間着用した場合でも、足の蒸れによる不快感を抑制することが可能となる。
【００１０】
また、本発明の靴の通気構造において、
「前記吸気弁は、前記空気ポンプの上面に形成され、
前記吸気蓋は、前記踵の底面及び後面を覆うように前記踵に装着されるとともに、前記吸気口から吸込む空気を前記空気ポンプの前記吸気弁に案内する踵カバー兼吸気ガイドからなる」
構成とすることができる。
【００１１】
これによれば、使用者の踵に装着される踵カバー兼吸気ガイドを備え、その踵カバー兼吸気ガイドを吸気蓋として用いるため、歩行の際、踵の上下動に合せて吸気蓋を昇降させることができ、空気ポンプの上面に形成され吸気弁の開閉動作を確実に行わせることができる。また、踵に対応する部分が靴本体及び踵カバーからなる二重構造となるため、靴本体に配置された空気ポンプを踵の動きに従動させることなく、踵及び吸気蓋のみを上下動させることが可能となる。
【００１２】
ところで、上記のように、使用者の踵が靴の中底に対して上下動するものでは、踵の後面がバックスティと呼ばれる靴の背の部分に擦れ易くなり、いわゆる靴擦れを生じる可能性が高くなる。これに対し、本発明では、踵カバー兼吸気ガイドは、踵の後面も覆っているため、踵の後面がバックスティに直接擦れることがなくなり、靴擦れの発生を防ぐことが可能になる。
【００１３】
さらに、踵カバー兼吸気ガイドは、吸気口（例えば靴本体の上部に配置）から吸込む空気を、バックスティとの間を通して空気ポンプの吸気弁に案内するため、常に新鮮な外気を空気室に供給することが可能となる。
【発明の効果】
【００１４】
このように、本発明によれば、歩行により、新鮮な外気を靴本体の爪先部に供給することができ、靴を長時間着用した場合でも、足の蒸れによる不快感を抑制することができる。
【図面の簡単な説明】
【００１５】
【図１】本実施形態である靴の通気構造を示す縦断面図である。
【図２】靴の通気構造を示す横断面図である。
【図３】（ａ）は通気構造における分配器の構成を示す断面図、（ｂ）は分配器の作用を示す説明図である。
【図４】（ａ）は踏み操作がなされた状態を示す通気構造の説明図であり、（ｂ）は踏み操作が解除された状態を示す通気構造の説明図である。
【発明を実施するための形態】
【００１６】
以下、本発明の実施形態である靴の通気構造１（以下、単に「通気構造１」と称す）について、図１及び図２に基づき説明する。本実施形態の通気構造１は、靴本体２の爪先部４に外気を導入し爪先部４の換気を促進することで、足の蒸れを抑制するものである。この通気構造１は、靴本体２の中底３上に配置されており、主に、内部に空気室６ａを有する袋状の空気ポンプ６と、空気ポンプ６の送気部８に分配器１１を介して接続された空気通路１３と、空気ポンプ６の吸気弁７を開閉する吸気蓋９と、を備えて構成されている。以下、各構成について詳細に説明する。
【００１７】
空気ポンプ６は、使用者の踵Ｋ（図４参照）によって踏まれる靴本体２の中底３に固定され、ゴムや軟質樹脂材などの弾性材で空気室６ａが形成されるとともに、空気室６ａの下部内面に沿って線条のスプリング１０が配設されている。つまり、可撓復元性を有する材質で形成されるとともに、スプリング１０によって復元力が高められており、踏み操作（踵Ｋを下ろす操作）によって空気室６ａが変形（収縮）し、踏み操作の解除（踵Ｋを上げる操作）によって空気室６ａが速やかに復元する（膨らむ）ようになっている。なお、スプリング１０は、空気ポンプ６の上面先端部分から空気ポンプ６の斜め上方に延出されるとともに、後述する踵カバー１５の底部１６に接続され、踵カバー１５を、先端側を中心に上方（図面では反時計方向）に付勢している。また、空気ポンプ６の先端側（紙面左側）には、踏み操作がなされたとき空気ポンプ６内の空気を送出する送気部８が設けられ、空気ポンプ６の上面には、踏み操作が解除されたとき空気室６ａ内に空気（外気）を吸引する吸気弁７が形成されている。
【００１８】
吸気蓋９は、踏み操作がなされると吸気弁７を閉鎖し、踏み操作が解除されると吸気弁７を開放するように、踵Ｋの上下動に合せて吸気弁７を開閉するものである。さらに詳しく説明すると、空気ポンプ６の上側には、使用者の踵Ｋの周囲（裏面，後面，側面）を覆うように踵Ｋに装着される合成樹脂製の踵カバー１５が設けられている。この踵カバー１５は、スプリング１０を介して空気ポンプ６の上面に配設されており、踏み操作が行われると先端部分を中心に回動し、踏み操作が解除されると、スプリング１０の付勢力によって上方に移動するようになっている。つまり、歩行の際、踵Ｋとともに昇降するように構成されている。この踵カバー１５は、踵Ｋの裏面に密着する底部１６と、踵Ｋの後面に密着する背部１７と、踵Ｋの側面に密着する一対の側部１８とから容器状に形成されており、特に、底部１６は空気ポンプ６に重なるとともに空気ポンプ６の吸気弁７よりも大きく形成されている。このため、図４（ａ）に示すように、踏み操作がなされたときは、踵カバー１５の底部１６によって、空気ポンプ６の吸気弁７が閉鎖され、一方、図４（ｂ）に示すように、踏み操作が解除されたときは、スプリング１０の付勢力によって踵カバー１５の底部１６が空気ポンプ６の上面から離れ吸気弁７が開放されるようになっている。つまり、踵カバー１５の底部１６が吸気蓋９として機能している。また、踵カバー１５の背部１７と靴本体２のバックスティ５との間には、隙間Ｓが形成されており、靴本体２の上部の吸気口１４から吸込む新鮮な外気を、隙間Ｓを通して空気ポンプ６の空気室６ａに供給することが可能になっている。ここで、踵カバー１５が本発明の踵カバー兼吸気ガイドに相当する。また、踵カバー１５の背部１７の上端部分には、弾性変形可能なチューブ１９が配設されており、踵カバー１５を踏み操作した際、踵Ｋがバックスティ５の上端に擦れないようになっている。
【００１９】
一方、分配器１１は、図３に示すように、空気ポンプ６から送出される空気を、空気通路１３を構成する複数本のチューブ２６に分配して送るケース２０と、ケース２０内に配置され空気通路１３側から空気室６ａ側に空気が逆流することを阻止する逆止弁２１とを備えている。ケース２０は、空気ポンプ６の内部に配設されており、空気室６ａに連通する供給側連通孔２２と、複数本のチューブ２６が夫々接続される複数の送出側連通孔２３とが形成されている。また、逆止弁２１は、一端（紙面右端）側がケース２０の内面に接着され、他端（紙面左端）側が昇降可能な弁体２４を備えており、図３（ａ）に示すように、空気室６ａ側の圧力が空気通路１３側の圧力よりも高くない場合（負圧の場合を含む）は、自重または吸引力によって弁体２４が下がる（水平となる）ことで、供給側連通孔２２を閉鎖し、一方、図３（ｂ）に示すように、空気室６ａ側の圧力が空気通路１３側の圧力よりも高い場合は、弁体２４の他端側が上方に付勢されることで、供給側連通孔２２を開放し、空気室６ａから分配器１１側に空気を送出することが可能となっている。なお、空気室６の先端側（紙面左端側）下面には、靴本体２の踵部１２（図１参照）の凹部１２ａに嵌め込まれる突起部６ｂが形成されており、これにより、空気ポンプ６の踏み操作によって空気室６ａが収縮した場合でも、供給側連通孔２２に連通する空気室６ａ内の通路が確保されるようになっている。また、踵部１２の凹部１２ａは、突起部６ｂが嵌め込まれた際、後側に空隙が生じる大きさとなっており、これによれば、空気ポンプ６の踏み操作によって空気室６ａが収縮した場合、突起部６ｂが凹部１２ａ内の空隙に逃げるように弾性変形させることで（図４（ａ）参照）、空気ポンプ６の上面を略水平状態に保ちながら収縮させることが可能となっている。
【００２０】
空気通路１３を構成する複数のチューブ２６は、その根元部分が分配器１１の送出側連通孔２３に接続され、先端部分が靴本体２の爪先部４（特に、使用者の足の指部分）に達するように平行に配置されている（図２参照）。これらのチューブ２６は、硬質の合成樹脂、すなわち使用者の足で踏まれても変形しない材質で形成されている。また、複数のチューブ２６のうち何本かのチューブ２６には、上面中央部分に吐出口２６ａが形成されており、爪先部４だけではなく、足の裏部分（特に土踏まずの部分）にも、空気が案内されるようになっている。
【００２１】
また、チューブ２６の左右両側には、空気通路１３としては機能しないが、チューブ２６と同じ径である複数のチューブ２７が配設されている。このように、チューブ２６及びチューブ２７を中底３全体に亘って敷設することにより、平坦な面を形成し、チューブ２６による違和感を抑制することが可能となっている。なお、図示していないが、チューブ２６，２７の上には、通気性を有する中敷が敷設されており、チューブ２６，２７が直接足裏に接しないようになっている。
【００２２】
次に、本実施形態の通気構造１の作用について、図４に基づき説明する。図４（ａ）に示すように、歩行の際、使用者の踵Ｋによって空気ポンプ６が踏まれると（踏み操作がなされると）、空気ポンプ６の吸気弁７が閉鎖されるとともに、空気室６ａ内に貯留されている空気が圧縮され送気部８から送出される。送気部８から送出される空気は、分配器１１によって分配され、複数本のチューブ２６を通って靴本体２の爪先部４及び土踏まずの部分に送られる。一方、図４（ｂ）に示すように、踏み操作が解除されると（すなわち踵Ｋが上げられると）、空気ポンプ６に加わる外力がなくなるため、空気ポンプ６は弾性力により元の形態に戻る。また、この際、スプリング１０の付勢力によって踵カバー１５が持ち上がり、踵カバー１５の底部１６（すなわち吸気蓋９）が吸気弁７から離れる。したがって、空気ポンプ６の吸気弁７が開放され、吸気口１４を通して空気ポンプ６に外気が吸引される。特に、靴本体２のバックスティ５と踵カバー１５の背部１７との間には、隙間Ｓが形成されているため、吸気口１４から吸い込まれた新鮮な外気が、この隙間Ｓを通して空気室６ａに供給される。
【００２３】
このように、実施形態の通気構造１によれば、歩行により、空気ポンプ６の収縮及び復元が繰り返されるため、新鮮な外気を繰り返し靴本体２の爪先部４等に供給することができる。したがって、靴本体２内の通気性がよくなり、長時間着用した場合でも、足蒸れによる不快感を抑制することができる。また、運動靴のように密着度の高い靴、または長靴のように空気がこもりやすい靴においても、足蒸れによる不快感を解消することができる。
【００２４】
また、本実施形態の通気構造１によれば、使用者の踵Ｋに装着される踵カバー１５を備え、その踵カバー１５の底部１６を吸気蓋９として用い、さらに踵カバー１５の底部１６をスプリング１０によって上方に付勢するため、歩行の際、踵Ｋとともに吸気蓋９を昇降させることができ、空気ポンプ６の上面に形成され吸気弁７の開閉動作を確実に行わせることができる。また、踵Ｋに対応する部分が靴本体２及び踵カバー１５からなる二重構造となるため、靴本体２に配置された空気ポンプ６を固定したまま、吸気蓋９のみを踵Ｋの動きに従動させることができる。
【００２５】
さらに、本実施形態の通気構造１によれば、踵カバー１５には、踵Ｋの後面を覆う背部１７が備えられ、しかも踵カバー１５の背部１７の上端部分には、弾性変形可能なチューブ１９が配設されているため、踵Ｋの後面がバックスティ５に直接擦れること、すなわち靴擦れの要因となることが防止される。また、背部１７とバックスティ５との間に隙間Ｓが確保されるため、新鮮な外気を円滑に取入れることができる。
【００２６】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００２７】
すなわち、上記実施形態では、空気通路１３として、複数本のチューブ２６を並設するものを示したが、通路を１つのみとし爪先部４付近で分岐または分散させるようにしてもよい。
【００２８】
また、足の甲に対する靴本体２の甲部（アッパー）の内側に排出通路を形成し、湿気及び熱気を含む空気を積極的に外部に排出させるようにしてもよい。これによれば、通気性がさらによくなり、快適性を高めることができる。
【００２９】
さらに、上記実施形態では、空気通路１３を靴本体２の中底３上に配設するものを示したが、空気通路１３を中底３またはミッドソールの内部に埋設してもよい。これによれば、歩行の際に生じるチューブ２６に対する違和感がなくなり、履き心地がさらによくなる。
【符号の説明】
【００３０】
１  靴の通気構造
２  靴本体
３  中底
４  爪先部
６  空気ポンプ
６ａ  空気室
７  吸気弁
８  送気部
９  吸気蓋
１３  空気通路
１４  吸気口
１５  踵カバー（踵カバー兼吸気ガイド）
２１  逆止弁
Ｋ  踵
【先行技術文献】
【特許文献】
【００３１】
【特許文献１】特開平０８−１１７００２号
【図１】
2013022330.tif 000003
【図２】
2013022330.tif 000004
【図３】
2013022330.tif 000005
【図４】
2013022330.tif 000006